(57)【特許請求の範囲】
【請求項１】
第１の筒の外面に対向する内面を有する第２の筒と、
前記第１の筒の外面に対向して備えられ、前記第２の筒に支持された回路基板と、を含み、
前記第２の筒は、前記回路基板の一端側に備えられた第１の端部が挿入される第１溝部と、前記第１の端部に対向する第２の端部が挿入される第２溝部と、前記第１の端部及び前記第２の端部に交差する第３の端部が当接する当接部とを有するレンズ鏡筒。
【請求項２】
請求項１に記載されたレンズ鏡筒であって、
前記第２の筒は、前記第１の筒に対して相対的に移動しない固定筒であるレンズ鏡筒。
【請求項３】
請求項１または２に記載されたレンズ鏡筒であって、
前記第１の筒および前記第２の筒の少なくとも一方に保持された光学系を含み、
前記回路基板は、前記光学系の光軸と略平行に備えられた第１回路基板と、前記第１回路基板とは異なる第２回路基板とを有し、前記第１回路基板と前記第２回路基板とは交差する方向に備えられているレンズ鏡筒。
【請求項４】
請求項３に記載されたレンズ鏡筒であって、
前記第１回路基板に搭載された電子部品と、
前記第２回路基板に備えられ、前記電子部品から供給された信号を用いて制御を行う制御回路と、
前記第１および第２回路基板よりも剛性が低く、前記第１回路基板と前記第２回路基板とを連結する連結部とを有するレンズ鏡筒。
【請求項５】
請求項３または４に記載されたレンズ鏡筒であって、
前記第１回路基板及び前記第２回路基板には、それぞれ角速度センサが搭載されているレンズ鏡筒。
【請求項６】
請求項５に記載されたレンズ鏡筒であって、
前記第２の筒の内部に備えられ、前記角速度センサから供給された信号を用いて制御を行う制御回路と、
前記第１回路基板および第２回路基板よりも剛性が低く、前記角速度センサと前記制御回路とを接続するフレキシブル回路基板とを有するレンズ鏡筒。
【請求項７】
請求項６に記載されたレンズ鏡筒であって、
前記制御回路は、前記第１回路基板及び第２回路基板の少なくとも一方に備えられているレンズ鏡筒。
【請求項８】
請求項７に記載されたレンズ鏡筒であって、
前記第１回路基板及び第２回路基板のうち、一方には前記制御回路が備えられ、他方には前記制御回路に供給される電圧よりも高い電圧を出力する高電圧出力回路が備えられるレンズ鏡筒。
【請求項９】
請求項１〜８のいずれかに記載されたレンズ鏡筒であって、
前記回路基板がリジット基板であるレンズ鏡筒。
【請求項１０】
請求項１〜９のいずれかに記載されたレンズ鏡筒であって、
前記回路基板は、前記第１の筒から間隔を隔てて備えられているレンズ鏡筒。
【請求項１１】
請求項１〜１０のいずれかに記載されたレンズ鏡筒であって、
前記第１の筒と前記第２の筒との間に備えられ、前記光学レンズを保持して前記第１の筒及び前記第２の筒に対して光軸方向に相対的に移動する移動筒を有するレンズ鏡筒。
【請求項１２】
請求項１１に記載されたレンズ鏡筒であって、
前記回路基板の内周側に備えられ、前記移動筒の移動を検出する検出部を有するレンズ鏡筒。
【請求項１３】
請求項１１または１２に記載されたレンズ鏡筒であって、
前記第１の筒及び前記第２の筒の少なくとも一方に対して固定して備えられ、前記移動筒を移動させるモータを有し、
前記回路基板は、前記モータの回転軸と略平行に備えられているレンズ鏡筒。
【請求項１４】
請求項１３に記載されたレンズ鏡筒であって、
前記回路基板は、前記第１の筒及び前記第２の筒の周方向でみて、前記モータが備えられていない部分に備えられているレンズ鏡筒。
【請求項１５】
請求項１〜１４のいずれかに記載されたレンズ鏡筒であって、
前記回路基板の前記第３の端部に対向する第４の端部に弾性力を与える弾性部材を有するレンズ鏡筒。
【請求項１６】
請求項１〜１５のいずれかに記載されたレンズ鏡筒であって、
前記回路基板は、互いに対向して備えられた第１対向基板と第２対向基板とを有することを特徴とするレンズ鏡筒。
【請求項１７】
請求項１６に記載されたレンズ鏡筒であって、
前記第１対向基板は、前記第２対向基板よりも前記第１の筒に近い側に備えられ、前記第２対向基板よりも面積が大きいレンズ鏡筒。
【請求項１８】
請求項１〜１７のいずれかに記載されたレンズ鏡筒であって、
前記第１の筒および前記第２の筒の少なくとも一方に保持された光学系を含み、
前記回路基板は、前記光学系の光軸を通らない平面に設けられているレンズ鏡筒。
【請求項１９】
請求項１〜１７のいずれかに記載されたレンズ鏡筒であって、
前記回路基板は、前記第１の筒および前記第２の筒に固定されているレンズ鏡筒。
【請求項２０】
請求項１９に記載されたレンズ鏡筒であって、
前記第１の筒および前記第２の筒の少なくとも一方に保持された光学系を含み、
前記回路基板は、前記光学系の光軸を通る平面に設けられているレンズ鏡筒。
【請求項２１】
請求項１〜２０のいずれかに記載のレンズ鏡筒を含む光学装置。
【請求項２２】
請求項１〜２１のいずれかに記載されたレンズ鏡筒の製造方法であって、
前記第１の筒の外周側に前記第２の筒を配置する工程と、
前記第１の筒の外周面と前記第２の筒の内周面とに対向するように、電子部品が搭載された前記回路基板を前記第２の筒に取付ける工程と、を有するレンズ鏡筒の製造方法。
【請求項２３】
請求項２２に記載されたレンズ鏡筒の製造方法であって、
前記電子部品から供給された信号を処理する制御回路を前記第２の筒の内部に配置する工程と、
前記回路基板よりも剛性が低い連結部を介して、前記電子部品と前記制御回路とを連結する工程とを、さらに有するレンズ鏡筒の製造方法。
【発明の詳細な説明】
【技術分野】
【０００１】
本発明は、レンズ鏡筒と、そのレンズ鏡筒を有するカメラなどの光学装置、およびレンズ鏡筒の製造方法に関する。
【背景技術】
【０００２】
カメラなどの光学装置に用いられるレンズ鏡筒では、オートフォーカス機能や、手振れ補正機能などの機能が付加されたレンズ鏡筒が用いられるようになってきている。
【０００３】
このような機能が付加されたレンズ鏡筒、あるいはその他のレンズ鏡筒では、レンズ鏡筒の内部に、回路基板を取り付ける場合がある（特許文献１参照）。
【特許文献１】特開２００６−７１９５３号公報
【発明の開示】
【発明が解決しようとする課題】
【０００４】
本発明の目的は、小型化が可能なレンズ鏡筒、光学装置およびレンズ鏡筒の製造方法を提供することである。
【課題を解決するための手段】
【０００５】
上記目的を達成するために、本発明の第１の観点に係るレンズ鏡筒は、
第１の筒（５０）の外面に対向する内面を有する第２の筒（６０）と、
前記第１の筒（５０）の外面と前記第２の筒（６０）の内面とに対向して備えられ、前記第２の筒（６０）に支持された回路基板（70,174,270,370,470）とを含む。
【０００６】
本発明の第１の観点に係るレンズ鏡筒の製造方法は、
第１の筒（５０）の外周側に第２の筒（６０）を配置する工程（Ｓ００１）と、
前記第１の筒（５０）の外周面と前記第２の筒（６０）の内周面とに対向するように、電子部品（７２）が搭載された回路基板（70,174,270,370,470）を前記第２の筒（６０）に取付ける工程（Ｓ００４）とを有する。
【０００７】
本発明の第１の観点に係るレンズ鏡筒およびその製造方法では、内周側に位置する第１の筒（５０）ではなく、外周側に位置する第２の筒（６０）に対して回路基板（70,174,270,370,470）が支持されるために、回路基板（70,174,270,370,470）の内周側にスペースを作ることが可能になる。そのため、そのスペース部分に、その他の部品を配置することが可能になり、レンズ鏡筒の小型化が可能である。
【０００８】
前記第２の筒（６０）は、前記第１の筒（５０）に対して相対的に移動しない固定筒であってもよい。
【０００９】
本発明のレンズ鏡筒の製造方法は、
前記電子部品（７２）から供給された信号を処理する制御回路（７２ｂ）を前記第２の筒（６０）の内部に配置する工程と、
前記回路基板（70,174,270,370,470）よりも剛性が低い連結部（７４）を介して、前記電子部品（７２）と前記制御回路（７２ｂ）とを連結する工程（Ｓ００３）とを、さらに有してもよい。
【００１０】
本発明のレンズ鏡筒は、さらに、
前記第１の筒（５０）及び前記第２の筒（６０）の少なくとも一方に保持された光学系を含み、
前記回路基板（70,174,270,370,470）は、前記光学系の光軸と略平行に備えられた第１回路基板と、前記第１回路基板とは異なる第２回路基板とを有し、前記第１回路基板と前記第２回路基板とは交差する方向に備えられていてもよい。
【００１１】
本発明のレンズ鏡筒は、
前記第１回路基板（70,174,270,370,470）に搭載された電子部品（７２）と、
前記第２回路基板（70,174,270,370,470）に備えられ、前記電子部品（７２）から供給された信号を用いて制御を行う制御回路（７２ｂ）と、
前記第１および第２回路基板（70,174,270,370,470）よりも剛性が低く、前記第１回路基板（７０）と前記第２回路基板（７０）とを連結する連結部（７４）とを有していてもよい。
【００１２】
前記第１回路基板及び前記第２回路基板には、それぞれ角速度センサ（７２ａ）が搭載されていてもよい。回路基板は、高精度に位置決めされてレンズ鏡筒の内部に取り付けられるため、回路基板に角速度センサ（７２ａ）を取り付けることで、レンズ鏡筒の光軸に対して垂直な平面における相互に垂直な方向の角速度を正確に検出することが可能になる。
【００１３】
本発明のレンズ鏡筒は、さらに、
前記第２の筒（６０）の内部に備えられ、前記角速度センサ（７２ａ）から供給された信号を用いて制御を行う制御回路（７２ｂ）と、
前記第１回路基板（70,174,270,370,470）および第２回路基板（70,174,270,370,470）よりも剛性が低く、前記角速度センサ（７２ａ）と前記制御回路（７２ｂ）とを接続するフレキシブル回路基板（７４）とを有してもよい。
【００１４】
前記制御回路（７２ｂ）は、前記第１回路基板及び第２回路基板の少なくとも一方に備えられ、他方には前記制御回路とは異なる回路が備えられていてもよい。
【００１５】
前記第１回路基板及び第２回路基板のうち、一方には前記制御回路（７２ｂ）が備えられ、他方には前記制御回路（７２ｂ）に供給される電圧よりも高い電圧を出力する高電圧出力回路（７２ｃ，７２ｄ，３７２）が備えられていてもよい。
【００１６】
前記回路基板（70,174,270,370,470）は、リジット基板で構成してもよい。リジッド基板とは、アラミド繊維やガラス繊維シートにエポキシ樹脂などの熱硬化性樹脂を含浸させ、熱と圧力を加えて硬化させて成形した基板、あるいは、紙にフェノール樹脂などの熱硬化性樹脂を含浸させ、熱と圧力を加えて硬化させて成形した基板などで構成される。リジッド基板は、フレキシブル基板に比較して剛性が高く、熱と衝撃に強い。
【００１７】
前記回路基板（70,174,270,370,470）は、前記第１の筒（５０）から間隔を隔てて備えられていてもよい。このように構成することで、回路基板の内周側にスペースを作り易くなる。
【００１８】
前記第１の筒（５０）と前記第２の筒（６０）との間には、前記光学レンズを保持して前記第１の筒（５０）及び前記第２の筒（６０）に対して光軸方向に相対的に移動する移動筒（５２，５３）が具備されていても良い。
【００１９】
前記回路基板（70,174,270,370,470）の内周側には、前記移動筒（５２，５３）の移動を検出する検出部（６８）が具備されていても良い。回路基板（70,174,270,370,470）の内周側にはスペースが生じるので、その部分を有効に利用することで、レンズ鏡筒の小型化を図ることができる。
【００２０】
前記第１の筒（５０）及び前記第２の筒（６０）の少なくとも一方には、前記移動筒を移動させるモータ（３７４）が固定して備えられていてもよく、前記回路基板（70,174,270,370,470）は、前記モータ（３７４）の回転軸と略平行に備えられていてもよい。モータ（３７４）の回転軸の方向にノイズが生じ易いが、回路基板を、モータ（３７４）の回転軸と平行に備えることで、ノイズが回路基板の配線に入り込みにくくなる。
【００２１】
前記回路基板（70,174,270,370,470）は、前記第１の筒（５０）及び前記第２の筒（６０）の周方向でみて、前記モータが備えられていない部分に備えられていてもよい。モータ（３７４）からのノイズを避けるためである。
【００２２】
前記第２の筒（６０）は、前記回路基板（70,174,270,370,470）の一端側に備えられた第１の端部（７０ａ）が挿入される第１溝部（６０ｂ）と、前記第１の端部（７０ａ）に対向する第２の端部（７０ａ）が挿入される第２溝部（６０ｂ）と、前記第１の端部及び前記第２の端部に交差する第３の端部（７０ｃ）が当接する当接部とを有していてもよい。その場合には、第２の筒（６０）に形成してある溝部（６０ｂ）に対して、回路基板（70,174,270,370,470）を差し込むのみで、回路基板の取付が完了するので、その取付作業が極めて容易である。また、差し込み式なので、ビス止めと異なり、締付トルクの管理も不要である。さらに、これらの溝部（６０ｂ）は、第２の筒（６０）に対して高精度に位置決めされて形成しやすいので、ビス止めや熱カシメに比較して、回路基板の位置決め精度も向上する。さらにまた、溝部（６０ｂ）の形成は、ビス止め用の取付箇所と異なり、場所を取らないので、さらにレンズ鏡筒を小型化することが可能である。
【００２３】
前記回路基板（70,174,270,370,470）の前記第３の端部（７０ｃ）に対向する第４の端部（７０ｂ）に弾性力を与える弾性部材が具備してあってもよい。このような構成にすると、弾性部材が回路基板の抜け止め機能を発揮し、回路基板（70,174,270,370,470）がレンズ鏡筒の内部で移動することを防止することができる。また、回路基板が第２の固定筒およびカバー部材（６２）の剛性の補強を兼ねることもできる。
【００２４】
前記回路基板は、互いに対向して備えられた第１対向基板（２７０）と第２対向基板（２７０）とを有していてもよい。第１対向基板（２７０）と第２対向基板（２７０）とを相互に対向させて配置することで、より少ないスペースで基板に搭載する電子部品（７２）の数を増やすことができる。
【００２５】
前記第１対向基板（４７０）は、前記第２対向基板（２７０）よりも前記第１の筒（５０）に近い側に備えられ、前記第２対向基板（２７０）よりも面積が大きくてもよい。その場合には、基板に搭載される電子部品（７２）の数をさらに増大することができる。しかも、第１の筒（５０）に近い側は、前記第２対向基板（２７０）よりも内周側に位置するために、第１対向基板（４７０）の面積を大きくしても問題がない。
【００２６】
レンズ鏡筒は、前記第１の筒（５０）および前記第２の筒（６０）の少なくとも一方に保持された光学系を含み、前記回路基板（70,174,270,370,470）は、前記光学系の光軸を通らない平面に設けられていてもよい。
【００２７】
前記回路基板は、前記第１の筒（５０）及び前記第２の筒（６０）に固定されていてもよい。前記回路基板（７０）は、前記光学系の光軸を通る平面に設けられていてもよい。
【００２８】
本発明の第２の観点に係るレンズ鏡筒は、
第１の筒（５０）の外面に対向する内面を有する第２の筒（６０）と、
前記第１の筒（５０）の外面と前記第２の筒（６０）の内面とに対向して備えられ、前記第１の筒（５０）に支持された回路基板（70,174,270,370,470）と、
前記回路基板（70,174,270,370,470）に搭載され撮影に必要な制御を行う制御回路（７２ｂ）と、
前記回路基板（70,174,270,370,470）に搭載され前記制御回路（７２ｂ）の特性を調整可能な調整部品（７２ｅ）と、
前記制御回路（７２ｂ）による制御を切り替えるための切り替え部(912,913,914)を有し、前記第２の筒（６０）から着脱可能に前記調整部品（７２ｅ）に対向して備えられた着脱部（９０）とを含む。
【００２９】
前記第２の筒（６０）は、前記調整部品（７２ｅ）に対向する部分に貫通孔（９３）を有し、
前記着脱部（９０）は、前記第２の筒（６０）の前記貫通孔（９３）に備えられていても良い。
【００３０】
本発明に係るレンズ鏡筒は、
前記第１の筒（５０）及び前記第２の筒（６０）の少なくとも一方に保持された光学系を含んでも良く、
前記回路基板（70,174,270,370,470）は、前記光学系の光軸と略平行に備えられた第１回路基板と、第２回路基板とを有しても良く、
前記第１回路基板と前記第２回路基板とは交差する方向に備えられていても良い。
【００３１】
本発明に係るカメラなどの光学装置は、上記のいずれかに記載のレンズ鏡筒を含む。
【００３２】
なお、上述の説明では、本発明をわかりやすく説明するために、実施形態を示す図面の符号に対応つけて説明したが、本発明は、これに限定されるものでない。後述の実施形態の構成を適宜改良してもよく、また、少なくとも一部を他の構成物に代替させてもよい。更に、その配置について特に限定のない構成要件は、実施形態で開示した配置に限らず、その機能を達成できる位置に配置することができる。
【発明を実施するための最良の形態】
【００３３】
以下、本発明を、図面に示す実施形態に基づき説明する。
図１は本発明の一実施形態に係るレンズ鏡筒の概略縦断面図、
図２は図１に示すカバー部材を外した場合におけるレンズ鏡筒の要部斜視図、
図３Ａおよび図３Ｂは本発明の他の実施形態に係るレンズ鏡筒に用いる回路基板の側面図、
図４および図５はそれぞれ本発明の他の実施形態に係るレンズ鏡筒の一部の斜視図、
図６は本発明の他の実施形態に係るレンズ鏡筒の一部を示す概略図、
図７は本発明の他の実施形態に係るレンズ鏡筒の要部斜視図、
図８は図７に示す保持溝の要部断面図、
図９は本発明の他の実施形態に係るレンズ鏡筒の概略横断面図、
図１０は本発明のさらに他の実施形態に係るレンズ鏡筒の概略横断面図、
図１１は図１０の要部拡大断面図、
図１２は本発明の実施形態に係るレンズ鏡筒の製造方法を示すフローチャート図である。
第１実施形態
【００３４】
図１に示すように、本実施形態におけるレンズ鏡筒１は、第１レンズ群Ｌ１，第２レンズ群Ｌ２，第３レンズ群Ｌ３，第４レンズ群Ｌ４の４つのレンズ群により形成される撮影光学系を有し、焦点距離を連続的に変更する動作（ズーム動作）を行える交換レンズである。
【００３５】
第１レンズ群Ｌ１〜第４レンズ群Ｌ４は、いずれもズーム動作によって光軸方向にそれぞれ独立した直進移動を行う。本実施形態のレンズ鏡筒１は、いわゆる内焦式（インナーフォーカス方式）のレンズ鏡筒であり、フォーカス動作時には、第２レンズ群Ｌ２のみが光軸方向に直進移動を行う。第２レンズ群Ｌ２がフォーカス用レンズ（合焦レンズ）に対応する。
【００３６】
本実施形態の撮影光学系は、フォーカス動作時に第２レンズ群Ｌ２の必要な繰り出し量が撮影光学系のズーミング位置（焦点距離）に応じて変化するレンズである。第２レンズ群Ｌ２は、フォーカス用レンズ枠２５に固定してあり、このレンズ枠２５には、図示省略してあるフォーカスカム溝（フォーカスカムとも称する）が形成してある。
【００３７】
このフォーカスカム溝は、撮影光学系のズーミング位置に応じて変化する第２レンズ群Ｌ２の必要な繰り出し量を補正してズーミング位置が変化しても合焦状態を維持すると共に、一定の回転操作量により第２レンズ群Ｌ２の繰り出し動作を行わせるように補正（以下、単に繰り出し量補正とも呼ぶ）する。この繰り出し量補正を、本実施形態のレンズ鏡筒１が実現している。
【００３８】
レンズ鏡筒１は、第１レンズ群Ｌ１〜第４レンズ群Ｌ４を移動可能に保持するために、固定筒５０，ズーム操作環５１，ズーム駆動筒５３，ズーム用案内筒５２，カム筒２４，フォーカス用レンズ枠２５，第１群筒３８等を有している。
【００３９】
固定筒５０は、ズーム動作時およびフォーカス動作時に、図示省略してあるカメラボディに対して移動しない筒状の部材である。固定筒５０には、レンズマウント４０が固定してあり、レンズマウント４０は、図示省略してあるカメラボディに着脱自在に装着される。
【００４０】
なお、特に言及しない限り、以下の説明では、固定筒５０を基準として、撮影光学系の光軸Ｘに平行な方向の移動を直進と呼び、また、回転とは、光軸Ｘ周りの回転を指すものとする。また、撮影光学系の光軸Ｘに平行な方向で、レンズマウント４０から遠ざかる方向を前方（物体側）と呼び、レンズマウント４０に近づく方向を後方（像面側）と呼ぶことにする。
【００４１】
ズーム操作環５１は、ズーム動作時に撮影者が直接に手動で操作することにより、回転駆動力を得て回転する部材である。ズーム操作環５１内周には、光軸方向に平行な溝である複数の直進溝が周方向に略等間隔に形成してある。本実施形態におけるズーム操作環５１は、広角端から望遠端まで所定角度の範囲で回転する。
【００４２】
ズーム駆動筒５３は、その内周側に配置されたズーム用案内筒５２に対して回転はするが光軸Ｘ方向には相対移動せず、一体的に直進するように、ズーム用案内筒５２の外周に回転可能に装着してある。ズーム駆動筒５３には、ズーム操作環５１の内周に形成してある直進溝にそれぞれ係合する複数の駆動力伝達ピンが、駆動筒５３の後端側外周に周方向略等間隔に形成してある。
【００４３】
これらの伝達ピンを通して、ズーム操作環５１からの回転駆動力がズーム駆動筒５３に伝達され、ズーム操作環５１に従って、ズーム駆動筒５３は、広角端から望遠端まで所定角度の範囲で回転する。
【００４４】
駆動筒５３が案内筒５２に対して光軸Ｘ回りに回転することで、第１群筒３８は、駆動筒５３および案内筒５２に対して、前方に前進移動したり、後退移動したりすることができる。なお、第１群筒３８には、レンズ群Ｌ１が固定してある。
【００４５】
駆動筒５３が回転することで、カム筒２４を光軸Ｘ回りに回転させると共に、光軸Ｘ方向に移動させる。カム筒２４には、第３群レンズ用カム溝および第４群レンズ用カム溝が形成してある。
【００４６】
これらのカム溝に対してカムピンが係合することで、駆動筒５３の回転により、カム筒２４も回転させられて光軸方向に移動する際に、第３レンズ群Ｌ３を保持する第３レンズ保持筒は、回転することなく、光軸Ｘ方向に移動する。また、カム筒２４の回転および直進移動に応じて、第４レンズ群Ｌ４を保持する第４レンズ保持筒は、回転することなく、光軸Ｘ方向に移動する。
【００４７】
第４レンズ群Ｌ４と第３レンズ群Ｌ３とは、固定筒５０の内周側に配置されるカム筒２４に支持されているため、光軸に対して倒れにくい構造となっている。また、第３レンズ群Ｌ３を保持する第３レンズ保持筒の前方で、第２レンズ群Ｌ２の後方（像面側）には、バイブレーション  リダクション  システムが配置してある。バイブレーション  リダクション  システムは、レンズ鏡筒１の振れの影響を、第２レンズ群Ｌ２の像面側で除去している。
【００４８】
固定筒５０の前方の外周側で、案内筒５２の内周側には、フォーカス用レンズ枠２５が配置してある。レンズ枠２５には、第２レンズ群Ｌ２が固定してある。レンズ枠２５には、その周方向等間隔の複数位置に、フォーカスカム溝が形成してある。
【００４９】
レンズ枠２５の光軸Ｘ方向の後端側には、フォーカスモータ、あるいはフォーカス操作環５４から選択的に回転駆動力（フォーカス駆動力）を受ける駆動力伝達部を有している。駆動力伝達部には、フォーカス駆動力を伝える連結キー６６が係合しているが、ズーム動作時には、この連結キー６６は、フォーカスモータおよびフォーカス操作環５４に付与されている駆動抵抗力により回転しないようになっている。すなわち、ズーム動作時には、レンズ枠２５に保持された第２レンズ群Ｌ２が光軸Ｘ回りに回転することなく光軸Ｘ方向に移動する。
【００５０】
フォーカシング動作は、たとえば次のようにして行われる。すなわち、レンズ枠２５の光軸Ｘ方向の後端側に設けられた駆動力伝達部に、フォーカスモータ、あるいはフォーカス操作環５４から回転駆動力（フォーカス駆動力）が、連動筒６４および連結キーを介してレンズ枠２５に選択的に伝達され、レンズ枠２５が回転する。そのため、レンズ枠２５は、案内筒５２に対して、Ｘ軸方向に相対移動し、第２レンズ群Ｌ２を第１レンズ群Ｌ１に対してＸ軸方向に相対移動させ、フォーカシング動作が可能になる。
【００５１】
連動筒６４には、位置検出用エンコーダブラシ６８がビスなどで固定してある。エンコーダブラシ６８は、固定筒５０の外周面を摺接して連動筒６４と共に回転し、固定筒５０に対する連動筒６４の相対位置を検出可能である。エンコーダブラシ６８で検出された位置情報は、フォーカシング情報として用いられる。
【００５２】
ズーム操作環５１は、レンズ鏡筒１の最外周固定筒６０に対して光軸Ｘ回りに回転可能に保持してある。最外周固定筒６０における光軸Ｘの像面側端部には、カバー部材６２が着脱自在に固定される。これらの最外周固定筒６０およびカバー部材６２は、固定筒５０に対して直接にあるいは間接的に固定してあり、レンズ鏡筒１における最も外側に位置する固定部材である。カバー部材６２の像面側端部にレンズマウント４０が固定してある。
【００５３】
最外周固定筒６０およびカバー部材６２の間には、これらに対して、フォーカス操作環５４が光軸Ｘ回りに回転自在に装着してある。フォーカス操作環５４またはカバー部材６２の内周側であって、最外周固定筒６０の像面側端部には、図１および図２に示すように、光軸Ｘに対して略垂直な平面で内周側に向けて突出する内方凸縁６０ａが固定筒６０に対して一体的に形成してある。内方凸縁６０ａは、フォーカス操作環５４またはカバー部材６２の内周側で、円周方向に沿って所定間隔で複数位置に形成してある。
【００５４】
たとえば図２に示す例では、内方凸縁６０ａは、円周方向に沿って所定間隔で３カ所位置に形成してある。内方凸縁６０ａの円周方向の両側または片側には、保持溝６０ｂが形成してある。保持溝６０ｂは、光軸Ｘに対して略平行な方向に形成してある。
【００５５】
各保持溝６０ｂには、回路基板７０における光軸方向前方の各側端部７０ａが着脱自在に差し込まれるようになっている。すなわち、回路基板７０における光軸方向前方の両側端部７０ａが、それぞれ保持溝６０ｂにより着脱自在に保持してある。また、回路基板７０における光軸方向の後端部は、保持溝６０ｂに差し込まれる回路基板７０の差し込み方向と反対側に位置するカバー部材６２の内面に当接し、回路基板７０の抜け止めとなっている。保持溝６０ｂに両側端部７０ａが差し込まれる回路基板７０は、光軸Ｘに対して平行に配置される。
【００５６】
本実施形態では、回路基板７０の表面および／または裏面には、各種電子部品７２が実装してある。複数の電子部品７２のうちの一つは、たとえばジャイロセンサなどの角速度センサである。たとえば図３Ａにおいて、符号７２ａが、角速度センサであり、その角速度センサから供給された信号を用いて制御を行う制御回路は７２ｂは、ＣＰＵ（central precessing unit）であり、チップ部品である。制御回路７２ｂは、角速度センサから供給された信号以外の信号を用いて、ＡＦ等の制御を行ってもよい。高電圧出力回路７２ｃ、７２ｄは、制御回路７２ｂに供給される電圧よりも高い電圧を出力するチップ部品である。高電圧出力回路７２ｃ，７２ｄは、例えば、レンズを駆動するフォーカスモータ、例えばＳＷＭ（Silent Wave Motor)を駆動するのに必要な高電圧を生じさせる昇圧回路である。
【００５７】
本実施形態では、フォーカス操作環５４およびカバー部材６２の内周側であって、位置検出用エンコーダブラシ６８の外周側位置に、円周方向に沿って二つの回路基板７０が、相互に９０度で交差して配置されるように、保持溝６０ｂが内方凸縁６０ａに形成してある。二つの回路基板７０は、たとえば図３Ａに示すように、回路基板７０よりも剛性が低い可撓性配線（フレキシブル回路基板）７４により電気的に接続してあってもよい。
【００５８】
本実施形態では、回路基板７０は、リジット基板で構成される。リジッド基板とは、例えば、アラミド繊維やガラス繊維シートにエポキシ樹脂などの熱硬化性樹脂を含浸させ、熱と圧力を加えて硬化させて成形した基板、ポリエチレンテレフタレート（ＰＥＴ）、あるいは、紙にフェノール樹脂などの熱硬化性樹脂を含浸させ、熱と圧力を加えて硬化させて成形した基板などで構成される。リジッド基板は、フレキシブル基板に比較して剛性が高く、熱と衝撃に強い。回路基板７０をリジッド基板で構成することで、角速度センサが回路基板７０に取り付けられても、回路基板７０を撓ませることなく、正確に角速度を検出することができる。図示実施例では、制御回路７２ｂが搭載された回路基板７０と、高電圧出力回路７２ｃ、７２ｄが搭載された回路基板７０とは、略直交する角度に備えられている。制御回路７２ｂが搭載された回路基板７０と、高電圧出力回路７２ｃ，７２ｄが搭載された回路基板７０とは、面積を同一としても良いが、制御回路７２ｂが搭載された回路基板７０を、高電圧出力回路７２ｃ，７２ｄが搭載された回路基板７０よりも大面積にしても良い。
【００５９】
本実施形態に係るレンズ鏡筒１では、内周側に位置する固定筒５０ではなく、外周側に位置する最外周固定筒６０に対して回路基板７０が支持されるために、回路基板７０の内周側にスペースを作ることが可能になる。そのため、そのスペース部分に、エンコーダブラシ６８などのその他の部品を配置することが可能になり、レンズ鏡筒１の小型化が可能である。
【００６０】
また、エンコーダブラシ６８の場合には、その組立の過程において、微調整が必要になる場合がある。本実施形態では、回路基板７０を保持溝６０ｂから引き抜くことで、容易にエンコーダブラシ６８の微調整が可能である。
【００６１】
また、本実施形態では、最外周固定筒６０の内方凸縁６０ａに形成してある保持溝６０ｂに対して、回路基板７０を差し込むのみで、回路基板７０の取付が完了するので、その取付作業が極めて容易である。また、差し込み式なので、ビス止めと異なり、締付トルクの管理も不要である。さらに、保持溝６０ｂは、最外周固定筒に対して高精度に位置決めされて形成しやすいので、ビス止めや熱カシメに比較して、保持溝６０ｂに位置決めされる回路基板７０の位置決め精度も向上する。さらにまた、保持溝６０ｂの形成は、ビス止め用の取付箇所と異なり、場所を取らないので、さらにレンズ鏡筒１を小型化することが可能である。
【００６２】
さらにまた本実施形態では、保持溝６０ｂに差し込まれる回路基板７０の差し込み方向と反対側に、カバー部材６２が最外周固定筒６０に取り付けられる。そのため、カバー部材６２が取り付けられた状態で、回路基板７０の抜け止めとなると共に、カバー部材６２が回路基板７０を保持する部分を兼ねることになる。そのため、回路基板７０がレンズ鏡筒１の内部で移動することを防止することができると共に、回路基板７０が、最外周固定筒およびカバー部材６２の補強を兼ねることができる。
【００６３】
なお、図１において、回路基板７０の端部とカバー部材６２との接触部は、直接に接触してもよいが、それらの間に、ゴム材などの弾性部材（図示省略）を介在させ、回路基板７０の端部とカバー部材６２とは弾性部材を介して接触させても良い。その場合には、弾性部材の弾性力で、回路基板７０を保持溝６０ｂの方向に押圧することになる。
【００６４】
また、回路基板７０は、保持溝６０ｂに取り付けられることで、相互に略垂直に配置され、高精度に位置決めされてレンズ鏡筒１の内部に取り付けられる。このため、各回路基板７０に角速度センサを取り付けることで、レンズ鏡筒１の光軸Ｘに対して垂直な平面における相互に垂直な方向の角速度を正確に検出することが可能になる。そのため、振れ補正制御に必要な角速度情報を正確に検出することが可能になる。
【００６５】
また、上述した実施形態において、たとえば、図３Ｂに示すように、人の力で容易に変形可能な単一のフレキシブル回路基板１７４における長手方向の両端部に、容易には変形しない比較的に剛性がある補強板１７０を、接着あるいは融着などの手段で固定してもよい。
【００６６】
補強板１７０が固定されたフレキシブル回路基板１７４の反対側面には、各種電子部品１７２が実装してある。各補強板１７０における各側端部１７０ａが、図１および図２に示す保持溝６０ｂに差し込まれる。この実施形態では、各補強板１７０が、回路基板の一部となる。補強板１７０としては、特に限定されないが、たとえばポリエチレンテレフタレート（ＰＥＴ）基板などの高剛性の樹脂基板などが用いられる。
【００６７】
上述した第１実施形態に係るレンズ鏡筒の製造方法は、特に限定されないが、たとえば図１２に示すようにして行われる。まず、ステップＳ００１にて、レンズ鏡筒１を構成する固定筒５０、ズーム駆動筒５３、連動筒６４および最外固定筒６０等の各筒を組み立てる。本実施形態では、固定筒５０の外周側に最外固定筒６０を配置する。
【００６８】
各筒の組み立てとは別工程において、ステップＳ００２では、図３Ａに示すように、回路基板７０に各種電子部品７２を実装する。電子部品７２には、角速度センサ７２ａ、制御回路７２ｂ、高電圧出力回路７２ｃ，７２ｄなどが含まれる。回路基板７０に各種電子部品７２を実装するときの前後に、あるいは、同時に、図１２に示すステップＳ００３にて、回路基板７０相互を可撓性配線（フレキシブル回路基板）７４により電気的に接続する。
【００６９】
その後に、図１２に示すステップＳ００４にて、図２に示すように、固定筒６０の各保持溝６０ｂに、一対の回路基板７０の各側端部７０ａを挿入して、回路基板７０を固定筒６０に取り付ける。なお、図２では、可撓性配線７４が図示省略してある。図１２に示すフローチャートでは、図３Ａに示すように、回路基板７０を可撓性配線７４で接続した後に、回路基板７０を固定筒６０に取り付けたが、他の実施形態では、回路基板７０を固定筒６０に取り付けた後に、可撓性基板７０を取り付けてもよい。
【００７０】
また、レンズ鏡筒のメインの制御回路が、図２に示す回路基板７０上に配置されていない場合には、図３Ａに示す可撓性配線７４とは別の可撓性配線（回路基板より剛性が低い）で、回路基板７０上の電子部品とメインの制御回路とを接続しても良い。電子部品７２から供給された信号を処理するメインの制御回路は、予め固定筒６０の内部に配置してあってもよい。
第２実施形態
【００７１】
本発明の第２の実施形態では、下記に示す以外は、上述した第１実施形態と同様であり、第１実施形態と同様な作用効果を奏する。図４に示すように、固定筒６０の内側に形成してある隣り合う一対の内方凸縁６０ａには、それぞれ二つ以上の保持溝６０ｂが形成してある。これらの隣り合う一対の内方凸縁６０ａに形成された保持溝６０ｂには、各回路基板２７０における光軸方向前方の各側端部２７０ａが着脱自在に差し込まれ、固定筒６０の半径方向に沿って二段以上に平行に重ねて配置してある。
【００７２】
二段以上に重ねて配置された回路基板２７０は、それらの回路基板２７０と略垂直位置に配置された回路基板３７０に対して、図３Ａに示す可撓性配線７４などで電気的に接続してある。二段以上に重ねて配置された回路基板２７０には、主として制御回路やセンサなど、比較的に低電圧で駆動される電子部品２７２が搭載される。回路基板２７０には、制御回路（チップ部品）７２ｂが搭載されている。また、二段以上に重ねて配置された回路基板２７０と略垂直位置に配置された回路基板３７０には、昇圧回路などの比較的に高電圧の電子部品３７２が搭載される。
【００７３】
なお、比較的に高電圧の電子部品３７２が搭載される回路基板３７０には、比較的に低電圧で駆動される角速度センサなどの電子部品２７２も搭載され、その電子部品２７２は、他の回路基板２７０の近くに配置され、他の回路基板２７０の電子部品２７２に接続される。振れ補正制御などに用いられる一対の角速度センサは、相互に垂直な位置に配置されることが好ましい。そこで、一方の角速度センサからなる電子部品２７２を回路基板３７０に配置し、他の角速度センサおよびその他の制御回路７２ｂなどを含む電子部品２７２を、他の回路基板２７０に配置する。
【００７４】
比較的に高電圧の電子部品３７２は、できる限り他の回路基板２７０から遠い位置で、回路基板３７０に搭載される。回路基板３７０の近くで、固定筒６０の内周側には、回路基板２７０および３７０が設けられていない周方向位置に、昇圧回路などの電子部品３７２と接続されるステッピングモータ３７４が配置される。ステッピングモータ３７４は、たとえばフォーカスモータなどの用途に用いられ、フォーカス用レンズを保持する筒体を軸方向に移動させる。
【００７５】
このステッピングモータ３７４の回転軸は、回路基板２７０および３７０の平面に対して平行に配置される。モータ３７４の回転軸方向にノイズが発生しやすいが、回路基板２７０および３７０を、モータ３７４の回転軸と平行に配置することで、回路基板２７０および３７０の配線に対して、ノイズが重畳しにくくなる。
【００７６】
本実施形態に係るレンズ鏡筒では、制御回路やセンサなどの電子部品２７２が搭載された回路基板２７０を多段に配置することができるので、固定筒６０の内部に搭載することができる電子部品２７２の数を増大させることができる。電子部品の数を増やすことができれば、レンズ鏡筒の多機能およびコンパクト化に寄与する。
【００７７】
また、この実施形態では、昇圧回路などの高電圧系の電子部品３７２を、多数の低電圧系の電子部品２７２および制御回路７２ｂと離すことができるために、制御や通信を行うための電子部品２７２にノイズが重畳することを極力抑制することができ、高精度な制御や通信を行うことができる。本実施形態のその他の作用効果は、前述した第１実施形態と同様である。
第３実施形態
【００７８】
本発明の第３の実施形態では、下記に示す以外は、上述した第２実施形態と同様であり、第２実施形態と同様な作用効果を奏する。図５に示すように、固定筒６０の内側に形成してある隣り合う一対の内方凸縁６０ａには、それぞれ二つ以上の保持溝６０ｂが形成してある。これらの隣り合う一対の内方凸縁６０ａに形成された保持溝６０ｂには、各回路基板２７０および４７０における光軸方向前方の各側端部２７０ａおよび４７０ａが着脱自在に差し込まれ、固定筒６０の半径方向に沿って二段以上に平行に重ねて配置してある。
【００７９】
しかも本実施形態では、二段以上に重ねて配置された回路基板２７０および４７０のうち、固定筒６０の半径方向内側に位置する回路基板４７０が、外側に位置する回路基板２７０の幅よりも大きく成形してある。この実施形態によれば、第２実施形態に比較して、さらに多数の電子部品２７２を固定筒６０の内側に搭載することができる。
第４実施形態
【００８０】
本発明の第４の実施形態では、下記に示す以外は、上述した第１〜第３実施形態と同様であり、これらの実施形態と同様な作用効果を奏する。図６に示すように、固定筒６０の内側には、円周方向に沿って、所定間隔で４つの内方凸縁６０ａが形成してあり、各内方凸縁６０ａに形成してある保持溝６０ｂには、回路基板７０の側端部７０ａが着脱自在に差し込まれるようになっている。すなわち、周方向に沿って３つの回路基板７０が円弧の弦のように並んで配置してある。
【００８１】
本実施形態では、個々の回路基板７０の幅寸法を短くすることができ、固定筒６０の内部に多数の回路基板７０を配置することができる。そのため、回路基板７０に搭載することができる合計の電子部品の数を増大させることができる。なお、この実施形態では、回路基板７０は、相互に垂直でないものもあるが、回路基板７０の数を多くすることで、相互に垂直な回路基板７０も配置することができる。
【００８２】
なお、本発明は、上述した実施形態に限定されるものではなく、種々に改変することができる。たとえば本発明では、回路基板７０，２７０，３７０，４７０および／または補強板１７０は、最外周固定筒６０の内面と、あるいは固定筒５０の外周面の少なくとも一方と略平行に備えられていてもよい。
【００８３】
さらに、上述した実施形態では、回路基板７０，２７０，３７０，４７０または補強板１７０の側端部７０ａ，１７０ａ，２７０ａ，３７０ａ，４７０ａを、保持溝６０ｂに対して着脱自在に差し込んで固定したが、差し込んで固定する前後に接着剤を使用しても良い。ただし、その場合には、接着剤による接着を解除しないと、保持溝６０ｂから回路基板７０，２７０，３７０，４７０または補強板１７０を取り外すことが困難になる。
【００８４】
さらにまた上述した実施形態では、一眼レフ用カメラボディに取り付けるためのレンズ鏡筒について説明したが、本発明に係るレンズ鏡筒は、カメラボディ以外の光学装置に取り付けることも可能である。また、本発明に係るレンズ鏡筒は、一眼レフ用カメラ以外のカメラ、例えば、レンズ鏡筒とカメラボディとが固定されたカメラのレンズ鏡筒であってもよい。また、スチルカメラ以外のビデオカメラ、携帯電話、双眼鏡、望遠鏡などの光学機器のレンズ鏡筒であってもよい。
第５実施形態
【００８５】
本発明の第５の実施形態では、下記に示す以外は、上述した第１〜第４実施形態と同様であり、これらの実施形態と同様な作用効果を奏する。図７に示すように、この実施形態では、各回路基板７０の側端部７０ａを、外周側の固定筒６０に形成してある保持溝６０ｂで保持すると共に、内周側の固定筒５０の外周に形成してある突起部５０ａに対してビス５０ｂなどで着脱自在に固定してある。
【００８６】
この実施形態の場合には、回路基板７０における光軸Ｘ方向の後端部７０ｂは、保持溝６０ｂに差し込まれる回路基板７０の差し込み方向と反対側に位置するカバー部材６２（図１参照）の内面に当接させることなく、固定筒５０に固定させることができる。
【００８７】
また、この実施形態では、図８に示すように、保持溝６０ｂが、回路基板７０の差し込み方向Ｘ１に向けて、奥行き幅Ｗが、回路基板７０の厚みｔと同等以下に狭くなるように、テーパ形状になっている。もちろん、各保持溝６０ｂの入り口は、回路基板７０の厚みｔよりも広い。各保持溝６０ｂを、テーパ形状に奥行き方向に幅Ｗを狭くすることで、回路基板７０の先端７０ｃが差し込みやすくなり、しかも保持溝６０ｂ内に固定しやすくなり、がたつきがなくなる。また、保持溝６０Ｂが形成してある固定筒６０は、例えば樹脂モールドにより一体成形されるため、型抜きを容易にするためには、テーパ形状の保持溝６０ｂが好ましい。
【００８８】
なお、保持溝６０ｂは、回路基板７０の差し込み方向Ｘ１にテーパ状に溝幅を狭くすることなく、回路基板７０の厚みｔと同等以上の同一幅としても良く、また、回路基板７０の平面に平行で差し込み方向Ｘ１と垂直方向にテーパ状に溝幅を狭くしても良い。
第６実施形態
【００８９】
本発明の第６の実施形態では、下記に示す以外は、上述した第１〜第４実施形態と同様であり、これらの実施形態と同様な作用効果を奏する。図９に示すように、この実施形態では、二つの回路基板７０を、内周側の固定筒５０と外周側の固定筒６０との間で、実質的に垂直に配置し、しかも、各回路基板７０の側端部７０ａが、固定筒５０および６０にそれぞれ固定してある。この実施形態では、回路基板７０は、光学系の光軸を通る平面（たとえば固定筒５０，６０の径方向の平面）に備えられている。
【００９０】
各回路基板７０には、角速度センサ７２ａおよびその他の電子部品７２が実装してある。各回路基板７０は、固定筒５０および６０の半径方向に平行に配置される。固定筒５０および６０の大きさなどによっては、このような回路基板７０の配置にすることにより、スペースの有効利用を図れる。なお、固定筒５０および６０の間に配置される回路基板７０は、３つ以上であっても良い。
第７実施形態
【００９１】
本発明の第７の実施形態では、下記に示す以外は、上述した第１〜第４実施形態と同様であり、これらの実施形態と同様な作用効果を奏する。図１０に示すように、この実施形態では、二つの回路基板７０を、外周側の固定筒６０の内側で、内周側の固定筒５０の外周に、相互に垂直となるように保持してある。この実施形態では、回路基板７０は、光学系の光軸を通らない平面（たとえば光学系の光軸と平行な平面）に備えられている。
【００９２】
各回路基板７０には、角速度センサ７２ａおよびその他の電子部品７２が実装してある。その他の電子部品７２の内、複数の電子部品７２は、角速度センサ７２ａから供給された信号を用いて制御を行う制御回路７２ｂを有している。
【００９３】
制御回路７２ｂが配置されている回路基板７０には、制御回路７２ｂの近傍に、制御回路７２ｂの制御特性を調整するためのボリューム、メモリ等の調整部品７２ｅが搭載されている。制御回路７２ｂが配置されている回路基板７０に対向している外周側の固定筒６０の外周領域αには、貫通孔９３が形成されている。貫通孔９３が形成された部分には、スイッチ部材９０が設けられ、貫通孔９３を塞いでいる。スイッチ部材９０は、ネジ、接着剤等により固定筒６０に固定されており、固定筒６０から着脱可能な部材である。
【００９４】
図１１に示すように、スイッチ部材９０には、制御回路７２ｂによる制御を切り替えるためのスイッチ９１２、９１３、９１４が備えられている。スイッチ９１２、９１３、９１４のそれぞれは、配線９１５を介して制御回路７２ｂに接続されている。スイッチ９１２、９１３、９１４を切り替えることにより、制御回路７２ｂはフォーカス動作、ブレ補正動作等の種々の撮影に関する制御が切り替わる。
【００９５】
図示の実施例では、調整部品７２ｅに対向するスイッチ部材９０が設けられているので、固定筒６０からスイッチ部材９０を取り外すことにより、調整部品７２ｅを露出させることができる。このため、露出した調整部品７２ｅについて、ボリュームの調整、メモリされた情報の書き換え等の調整作業を容易に行うことができる。
【００９６】
このような切替スイッチは、前述した第１〜第６実施形態における回路基板７０，１７０，２７０，３７０に対向している外周側の固定筒６０の外周領域αに第７実施形態と同様にして設けることができる。
【図面の簡単な説明】
【００９７】
【図１】図１は本発明の一実施形態に係るレンズ鏡筒の概略縦断面図である。
【図２】図２は図１に示すカバー部材を外した場合におけるレンズ鏡筒の要部斜視図である。
【図３Ａ】図３Ａは本発明の他の実施形態に係るレンズ鏡筒に用いる回路基板の側面図である。
【図３Ｂ】図３Ｂは本発明の他の実施形態に係るレンズ鏡筒に用いる回路基板の側面図である。
【図４】図４は本発明の他の実施形態に係るレンズ鏡筒の一部の斜視図である。
【図５】図５は本発明の他の実施形態に係るレンズ鏡筒の一部の斜視図である。
【図６】図６は本発明の他の実施形態に係るレンズ鏡筒の一部を示す概略図である。
【図７】図７は本発明の他の実施形態に係るレンズ鏡筒の要部斜視図である。
【図８】図８は図７に示す保持溝の要部断面図である。
【図９】図９は本発明の他の実施形態に係るレンズ鏡筒の概略横断面図である。
【図１０】図１０は本発明のさらに他の実施形態に係るレンズ鏡筒の概略横断面図である。
【図１１】図１１は図１０の要部拡大断面図である。
【図１２】図１２は本発明の実施形態に係るレンズ鏡筒の製造方法を示すフローチャート図である。
【符号の説明】
【００９８】
１…  レンズ鏡筒
５０…  固定筒
６０…  最外周固定筒
６０ａ…  内方凸縁
６０ｂ…  保持溝
６２…  カバー部材
６８…  位置検出用エンコーダブラシ
７０，２７０，３７０，４７０…  回路基板
７０ａ，１７０ａ，２７０ａ，３７０ａ，４７０ａ…  側端部
７２，１７２，２７２，３７２…  電子部品
１７０…  補強板
１７０ａ…  側端部
１７４…  フレキシブル回路基板
【図１】
0005262446.tif 000002
【図２】
0005262446.tif 000003
【図３Ａ】
0005262446.tif 000004
【図３Ｂ】
0005262446.tif 000005
【図４】
0005262446.tif 000006
【図５】
0005262446.tif 000007
【図６】
0005262446.tif 000008
【図７】
0005262446.tif 000009
【図８】
0005262446.tif 000010
【図９】
0005262446.tif 000011
【図１０】
0005262446.tif 000012
【図１１】
0005262446.tif 000013
【図１２】
0005262446.tif 000014